(57)【特許請求の範囲】
【請求項１】
容量可変の計量スプーンであって、
持ち手部と、
前記持ち手部の先端に位置し、側部で周囲から隔てられた内部が凹形状を成し、該凹形状の部位で所定容量を計量可能な第１計量部と、
前記第１計量部の横に隣接して配置され、側部で周囲から隔てられた内部が凹形状の扇形形状を成し、該凹形状の部位で前記所定容量を計量可能な状態と前記扇形を閉じ計量不可となる状態との２つの状態を相互に遷移可能な第２計量部と、を有し、
前記第１計量部の側部と前記扇形の一方の半径を構成する部位とが共通であり、前記第１計量部の側部先端付近に前記扇形の２本の半径の交点が位置し、
前記扇形の他方の半径を構成する部位を、前記扇形の中心角が所定角度となったり略ゼロとなったりするように前記交点を支点に動かすことによって、前記第２計量部が前記２つの状態それぞれを形成することを特徴とする計量スプーン。
【請求項２】
前記第１計量部と前記第２計量部とを隔てる部位にはスリットが設けられ、前記スリットを通って計量対象物が前記第１計量部及び前記第２計量部を相互移動可能であることを特徴とする請求項１に記載の計量スプーン
【請求項３】
前記第２計量部が、前記第１計量部の左右両脇に１つずつ配置されることを特徴とする請求項１又は２に記載の計量スプーン。
【請求項４】
前記扇形の円弧部及び前記扇形内部の凹部が軟質部材で形成されることを特徴とする請求項１乃至３の何れか一に記載の計量スプーン。
【請求項５】
前記持ち手部の一端に、第１の容量をそれぞれ計量可能な前記第１計量部及び第２計量部を備え、前記持ち手部の他端に、前記第１の容量と異なる第２の容量をそれぞれ計量可能な前記第１計量部及び第２計量部を備えることを特徴とする請求項１乃至４の何れか一に記載の計量スプーン。
【発明の詳細な説明】
【技術分野】
【０００１】
容量可変の計量スプーンの技術に関する。
【背景技術】
【０００２】
特許文献１乃至５が示すように、従来、容量を変化させることができる計量スプーンについて多数の研究・開発が行われており、特許出願及び実用新案登録出願として多数の研究・開発の成果が開示されている。
【先行技術文献】
【特許文献】
【０００３】
【特許文献１】特開２００９−３６５３７号公報
【特許文献２】特表２００７−５１９９１９号公報
【特許文献３】特開２００１−１２９９１号公報
【特許文献４】特開平９−４３０２６号公報
【特許文献５】特開平７−２８６８８５号公報
【発明の概要】
【発明が解決しようとする課題】
【０００４】
しかしながら、上記の従来技術においては、容量を変化させる機構として部品を揺動させるため、計量対象物が食べ物である場合、隙間に食べ物がつまり不衛生であるという問題点がある。また、当該隙間に計量対象物が詰まった結果、容量を変化させる機構が動作不良を起こすという問題点もある。
【０００５】
また、上記の従来技術においては、容量を変化させる機構が複数の部品で構成され、各部品の構造が複雑であることに加え、組み立ても煩雑になることから、生産コストが高くなりがちであるという問題点がある。
【０００６】
そして、上記の従来技術においては、計量を行うにあたり、容量を変化させるために小さな操作部を操作したり、小さな目盛を目視で確認したりと細かい作業を行わねばならないという問題点がある。特に、年配者、目や手先が不自由な方にとって、これは大きな問題点である。
【０００７】
さらには、上記の従来技術においては、所定の大きさの計量部を板などで仕切って容量を変化させるため、未使用時であっても、最大容量に応じた収納場所が必要になり、収納場所が嵩むという問題点もある。
【０００８】
そこで本発明では、上記問題点に鑑み、容量変化のための隙間が無い構造であるため計量対象物の詰りが無く清潔であり、当該詰りによる動作不良の恐れも無く、所望の容量に変化させる操作も簡単で収納時に嵩張らない計量スプーンを提供することを目的とする。
【課題を解決するための手段】
【０００９】
開示する計量スプーンの一形態は、容量可変の計量スプーンであって、持ち手部と、前記持ち手部の先端に位置し、側部で周囲から隔てられた内部が凹形状を成し、該凹形状の部位で所定容量を計量可能な第１計量部と、前記第１計量部の横に隣接して配置され、側部で周囲から隔てられた内部が凹形状の扇形形状を成し、該凹形状の部位で前記所定容量を計量可能な状態と前記扇形を閉じ計量不可となる状態との２つの状態を相互に遷移可能な第２計量部と、を有し、前記第１計量部の側部と前記扇形の一方の半径を構成する部位とが共通であり、前記第１計量部の側部先端付近に前記扇形の２本の半径の交点が位置し、前記扇形の他方の半径を構成する部位を、前記扇形の中心角が所定角度となったり略ゼロとなったりするように前記交点を支点に動かすことによって、前記第２計量部が前記２つの状態それぞれを形成することを特徴とする。
【発明の効果】
【００１０】
開示する計量スプーンは、容量変化のための隙間が無い構造であるため計量対象物の詰りが無く清潔であり、当該詰りによる動作不良の恐れも無く、所望の容量に変化させる操作も簡単で収納時に嵩張らない。
【図面の簡単な説明】
【００１１】
【図１】本実施の形態に係る計量スプーンの全体斜視図である。
【図２】本実施の形態に係る計量スプーンの第１状態を示す図である。
【図３】本実施の形態に係る計量スプーンの第２状態を示す図である。
【発明を実施するための形態】
【００１２】
図面を参照しながら、本発明を実施するための形態について説明する。
（本実施の形態に係る計量スプーンの構造）
【００１３】
図１乃至３を用いて、本実施の形態に係る計量スプーン１の構造について説明する。図１は、計量スプーン１の全体像が分かるようにした斜視図であり、図２及び３は、計量スプーン１が容量を変化させる仕組みを説明するための図である。
図１で示すように、計量スプーン１は、持ち手部２、第１計量部４、第２計量部６、スリット８を有する。
【００１４】
持ち手部２は、計量スプーン１の使用時に使用者が手で握る部位である。図１で示すように、手持ち部２は、平らな棒形状であっても良いが、その形状は特に限定しない。
【００１５】
第１計量部４は、周囲と隔てられる側壁を備え、中央が窪んだ凹形状を成している部位１０であり、凹形状部位１０に計量対象物を入れることによって、所定の容量を計量することができる部位である。図１で示すように、第１計量部４は、手持ち部２の先端部に設けられる。また、第１計量部４は、手持ち部２の一方の先端にのみ設けられる形態であっても、手持ち部２の先端両側に設けられる形態であっても何れでも良い。第１計量部４は、硬質樹脂等を材料とすることが望ましいが、特に材料は限定しない。
【００１６】
第２計量部６は、周囲と隔てられる側壁を備え、中央が窪んだ凹形状を成している扇形形状の部位１２であり、凹形状部位１２に計量対象物を入れることによって、所定容量の計量をすることができる部位である。なお、第１計量部４の容量と第２計量部６の容量とは同じである。
【００１７】
第２計量部６は、第１計量部４の横に隣接して配置される。第２計量部６は、第１計量部４の側部一方に１つ設けられる形態であっても良く、第１計量部４の側部両方に片側１つずつ合計２つ設けられる形態であっても良い。
【００１８】
第２計量部６は、扇形形状部位１２を形成する半径部位１６の一方が、第１計量部４の側部（側壁）と共通である。また第２計量部６は、扇形形状部位１２を形成する２つの半径部位１６が、第１計量部の側部先端付近で交わる構成である。
【００１９】
図２及び３で示すように、第２計量部６は、扇形形状部位１２を形成する２つの半径部位１６の交点を支点として、第１計量部４の側部（側壁）と共通でない他方の半径部位１６を動かし２つの半径部位１６が成す中心角を変化させることによって、扇形形状部位１２の形状を変化させる。
【００２０】
そして第２計量部６は、扇形形状部位１２を広げた状態（以下、「第１状態」２２ともいう。）と扇形形状部位１２を閉じた状態（以下、「第２状態」２４ともいう。）の２つの状態を取り得る。図２で示すように、第２計量部６は、第１状態２２のとき、扇形形状部位１２で所定容量の計量対象物を計量することができる。図３で示すように、第２計量部５は、第２状態２４のとき、扇形形状部位１２の容量が零と見做せるほど小さくなり、扇形形状部位１２で所定容量の計量を行うことができない。
【００２１】
なお第１状態２２と第２状態２４とは、使用者の操作によって、容易に状態遷移が可能である。図２で示すように使用者は、第１状態２２における第２計量部４が成す扇形形状の外側の半径部位１６を指で押さえ、半径部位１６を第１計量部４の側部１４の方へ押し付けるように操作することによって、第２計量部６を第１状態２２から第２状態２４へ遷移させることができる。
【００２２】
第２計量部６の扇形形状部位１２の内部及び円弧部１８（半径部位１６を除いた部位）は、第２計量部６が第１状態２２及び第２状態２４と状態を遷移させるとき形状を変化させる必要があるため、軟質ゴムやシリコンなどの軟質の部材で構成される。半径部位１６は、硬質樹脂等を材料とすることが望ましいが、特に材料は限定しない。
【００２３】
第２計量部６は、第１計量部４と同様に、手持ち部２の一方の先端にのみ設けられる形態であっても、手持ち部２の先端両側に設けられる形態であっても何れでも良く、第１計量部４の設置状況に応じて設置される数が定まる。
【００２４】
スリット８は、第１計量部４の側壁であり、また、扇形形状部位１２を形成する半径部位１６の一方でもある部位に設けられた、小さな切れ込み（細い隙間）である。スリット８は、この小さな切れ込みを通じて、計量対象物が第１計量部４及び第２計量部６間を移動可能とするための機構である。第１計量部４及び第２計量部６における計量対象物の計測容量の不均衡を是正するための役割を果たす。
（本実施の形態に係る計量スプーンの使用方法）
【００２５】
図１乃至３を用いて、計量スプーン１の使用方法について説明する。第１計量部４及び第２計量部６の容量をＸ（ｍｌ：ミリリットル）と想定する。図２で示すように、第１計量部４の両脇に２つの第２計量部６が設置され、これら第２計量部６が第１状態２２である場合、第１計量部４においてＸが計量可能であり、各第２計量部６においてＸずつが計量可能であるため、計量スプーン１は、３Ｘの容量を計量することができる。
【００２６】
図３で示すように、第１計量部４の両脇に２つの第２計量部６が設置され、一方の第２計量部６が第１状態２２であり、他方の第２計量部６が第２状態２４である場合、第１計量部４においてＸが計量可能であり、第２計量部６の一方のみでＸが計量可能であるため、計量スプーン１は、２Ｘの容量を計量することができる。
【００２７】
図示しないが、第１計量部４の両脇に２つの第２計量部６が設置され、これら２つの第２計量部６が第２状態２４である場合、第１計量部４においてＸが計量可能で、第２計量部６においては計量不可であるため、計量スプーン１は、Ｘの容量を計量することができる。
【００２８】
第１計量部４の片側にのみ１つの第２計量部６が設置される場合も、上記説明と同様の使用方法によって、計量スプーン１は、２Ｘの容量を計量できる場合とＸの容量を計量できる場合の２通りの計量を行うことができる。
【００２９】
図１で示すように、手持ち部２の両端に、計量可能な容量が異なる第１計量部４及び第２計量部６の組を配置する場合も、計量スプーン１は上記説明と同様の使用が可能である。手持ち部２の一端に配置する計量部４、６の各容量をＸ（ｍｌ：ミリリットル）、手持ち部２の他端に配置する計量部４、６の各容量をＹ（ｍｌ：ミリリットル）とし、各端の第２計量部６の数を２つとすると、計量スプーン１は、Ｘ、２Ｘ、３Ｘ、Ｙ、２Ｙ及び３Ｙの各容量を計量可能である。
（総括）
【００３０】
計量スプーン１は、計量対象物を詰まらせる隙間が無いため、衛生的であり、動作も安定し故障が少ない。また、計量スプーン１は、細部まで洗浄することができるため、衛生的であり、動作も安定し故障が少ないともいうことができる。
計量スプーン１は、組み立てを必要とせず、樹脂の射出成型のみで製造可能であるため、構造が簡素であり、生産コストを低くすることができる。
【００３１】
計量スプーン１は、扇形形状の半径部位１６を第１計量部４の側部１４へ押し付けることで、計量可能な容量を変化させることができるため、計量の際の操作が簡単である。これは、特に、年配者及び目や手先が不自由な方にとって、大きなメリットである。
計量スプーン１は、最も小さくした場合、持ち手部２及び第１計量部４の大きさとなるため、収納時に嵩張らない。
【００３２】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３３】
１    計量スプーン
２    持ち手部
４    第１計量部
６    第２計量部
８    スリット
１０  第１計量部の凹形状部位
１２  第２計量部の凹形状部位（扇形形状部位）
１４  第１計量部の側部
１６  第２計量部が形成する扇形形状の半径部位
１８  第２計量部が形成する扇形形状の円弧部
２０  第２計量部が形成する扇形形状の中心角
２２  第２計量部の第１状態（扇型形状を開いた状態）
２４  第２計量部の第２状態（扇型形状を閉じた状態）
【要約】
【課題】
開示の計量スプーンは、容量変化のための隙間が無い構造であるため計量対象物の詰りが無く清潔であり、当該詰りによる動作不良の恐れも無く、所望の容量に変化させる操作も簡単で収納時に嵩張らない。
【解決手段】
開示の計量スプーンは、持ち手部と、持ち手部の先端に位置し、周囲から隔てられるように凹形状を成し、該凹形状の部位で所定容量を計量可能な第１計量部と、第１計量部の横に隣接して配置され、周囲から隔てられるように内部が凹形状の扇形形状を成し、該凹形状の部位で所定容量を計量可能な状態と扇形を閉じ計量不可となる状態との２つの状態を相互に遷移可能な第２計量部と、を有することを特徴とする。
【選択図】図１【図１】
0005631520.tif 000002
【図２】
0005631520.tif 000003
【図３】
0005631520.tif 000004